(57)【要約】【課題】氷放出口の開口面積を制限することなく氷および飲料を供給することのできるアイスディスペンサを提供する。【解決手段】氷放出口１１ａ，１２ａを介して氷の放出を行う氷片シュータ１１，１２と、飲料注出口１５を介して飲料の注出を行う飲料注出通路１３ａとを備えたアイスディスペンサにおいて、飲料注出口１５を氷片シュータ１２の内壁面１４ａに開口させている。また、飲料注出通路１３ａの少なくとも下流端部を氷片シュータ１２に一体に形成した。【選択図】        図１
2006220399.tif 000002
【特許請求の範囲】
【請求項１】
氷放出口を介して氷の放出を行う氷片シュータと、飲料注出口を介して飲料の注出を行う飲料注出通路とを備えたアイスディスペンサにおいて、
前記飲料注出口を前記氷片シュータの内壁面に開口させたことを特徴とするアイスディスペンサ。
【請求項２】
前記飲料注出通路の少なくとも下流端部を前記氷片シュータに一体に形成したことを特徴とする請求項１に記載のアイスディスペンサ。
【請求項３】
前記飲料注出通路に飲料の注出量を調整するための流量調整手段を設けたことを特徴とする請求項２に記載のアイスディスペンサ。
【発明の詳細な説明】
【技術分野】
【０００１】
本発明は、氷放出口を介して氷の放出を行う氷片シュータと、飲料注出口を介して飲料の注出を行う飲料注出通路とを備えたアイスディスペンサに関するものである。
【背景技術】
【０００２】
従来のアイスディスペンサには、その本体筐体の内部に、オーガ式製氷機と、この製氷機で製氷された氷を外部に案内する氷片シュータとが設けられている。この氷片シュータは氷放出口を有し、この氷放出口からアイスディスペンサの外部に氷が放出されるようになっている。また、氷片シュータの近傍には、氷片シュータとは別体の飲料注出パイプが設けられている。この飲料注出パイプは、その上流部が水道管等の飲料供給源に接続されており、飲料供給源から供給された飲料が下流端部の飲料注出口から注出されるようになっている。
【０００３】
氷片シュータの氷放出口と飲料注出パイプの飲料注出口とはそれぞれの開口を下側に向けて並べて配置されており、氷放出口および飲料注出口から、利用者の容器に氷あるいは氷と飲料とが供給されるようになっている（例えば、特許文献１および特許文献２参照）。
【０００４】
【特許文献１】特開２０００−１８７８４号公報
【特許文献２】特開２００１−２６３８９１号公報
【発明の開示】
【発明が解決しようとする課題】
【０００５】
ところで、氷片シュータの氷放出口は、氷の放出を確実にすべく可及的に大きく確保することが好ましい。しかしながら、上記のように氷放出口と飲料注出口とを並べて配置したアイスディスペンサにあっては、氷放出口の開口面積が制限される。つまり、氷片シュータの氷放出口と飲料注出パイプの飲料注出口との開口面積の合計を、氷および飲料を受けるための容器の開口面積よりも小さくしなければ、氷または飲料が容器の外側にこぼれてしまうことになる。
【０００６】
この結果、氷放出口の開口面積を飲料注出口が占める面積の分だけ小さく形成しなければならず、例えば氷の放出が途中で滞る等の問題を招来するおそれがあった。
【０００７】
本発明は、上記実情に鑑みてなされたものであり、氷放出口の開口面積を制限することなく氷および飲料を供給することのできるアイスディスペンサを提供することを目的とする。
【課題を解決するための手段】
【０００８】
上記の目的を達成するために、本発明の請求項１に係るアイスディスペンサは、氷放出口を介して氷の放出を行う氷片シュータと、飲料注出口を介して飲料の注出を行う飲料注出通路とを備えたアイスディスペンサにおいて、前記飲料注出口を前記氷片シュータの内壁面に開口させたことを特徴とする。
【０００９】
また、本発明の請求項２に係るアイスディスペンサは、上記請求項１において、前記飲料注出通路の少なくとも下流端部を前記氷片シュータに一体に形成したことを特徴とする。
【００１０】
本発明の請求項３に係るアイスディスペンサは、上記請求項２において、前記飲料注出通路に飲料の注出量を調整するための流量調整手段を設けたことを特徴とする。
【発明の効果】
【００１１】
本発明の請求項１に係るアイスディスペンサによれば、飲料注出口を氷片シュータの内壁面に開口させているため、氷片シュータの氷放出口を何等制限することなく氷放出口から氷および飲料の注出を行うことができるようになる。
【００１２】
また、本発明の請求項２に係るアイスディスペンサによれば、飲料注出通路の少なくとも下流端部を氷片シュータに一体に形成しているため、清掃時に氷片シュータを取り外せば、飲料注出流路を一緒に清掃することができる。これにより、清掃作業を容易にし、アイスディスペンサのメンテナンス性を向上させることができる。
【００１３】
さらに、本発明の請求項３に係るアイスディスペンサによれば、飲料注出通路に飲料の注出量を調整するための流量調整手段を設けているため、飲料の注出量を調整することが可能となる。従って、例えばアイスディスペンサの設置環境や設置する地域によって水道圧に差があった場合にも単位時間当たりの飲料の注出量を一定に保つことができる。
【発明を実施するための最良の形態】
【００１４】
以下に添付図面を参照して、本発明に係るアイスディスペンサの好適な実施の形態を詳細に説明する。
【００１５】
図１は本発明の実施の形態であるアイスディスペンサを示した正面図、図２はその側面図である。ここで例示するアイスディスペンサは、チップ氷、スライス氷、チップ氷と飲料との混合物のいずれか１つを利用者に供給するものである。なお、以下においてはチップ氷とは粒状の氷のことをいい、スライス氷とはチップ氷を切削したかき氷のような粒の細かい氷のことをいうものとする。また、上述の飲料とは、水、清涼飲料水、ジュース等の飲み物をいうものとする。
【００１６】
このアイスディスペンサ１は、略直方体の形状を有した本体筐体２と、この本体筐体２の前面上部に取り付けられた開閉扉３とを備えている。開閉扉３の下方には、図２に示すように、開閉扉３の前面位置から後方へ若干凹ませた態様で氷供給部４が構成されている。
【００１７】
氷供給部４の上方であって開閉扉３によって覆われる部位には、２つの氷片シュータ１１，１２が設けられている。これらの氷片シュータ１１，１２は、それぞれの氷放出口１１ｂ，１２ｂがアイスディスペンサ１の正面から見て互いに左右に間隔を確保するように配置されている。氷供給部４であって各氷片シュータ１１，１２の氷放出口１１ｂ，１２ｂよりも下方となる位置には、氷供給レバー７がそれぞれ設けられている。これらの氷供給レバー７は、図５に示すように、アイスディスペンサ１の利用者が氷供給レバー７の下端部７ｂに容器２４を押し当てたときに、氷供給レバー７の上端部の回転軸７ａを中心にして本体筐体２の後方側に回動するように組立てられている。さらに、氷供給部４の下側には、容器２４からこぼれた氷を受けるための氷受け部８が設けられている。
【００１８】
図３は、図１の開閉扉３を取り外した状態であって、本体筐体２の内部を示す正面図である。また、図４は、この本体筐体２の内部に設けられたオーガ式製氷機２０の正面図である。このオーガ式製氷機２０は、本体筐体２に取り付けられており、チップ氷を生成するための製氷シリンダ部２１と、製氷シリンダ部２１の上部に取り付けられたアイスストッカー２２とを具備した標準的なものである。アイスストッカー２２の側壁正面部には、氷片シュータ１１，１２のそれぞれに氷を排出するための排出口２３が個別に設けられている。
【００１９】
また、このアイスストッカー２２には、排出口２３の近傍にソレノイド装置９がそれぞれ取り付けられている。ソレノイド装置９は、氷供給レバー７の動きにより検出した検出信号を受け、排出口２３に設けられた図示しない扉を開閉するようになっている。すなわち、排出口２３の扉は、氷供給レバー７が本体筐体２の後方側に回動していない状態では、閉じた状態に維持されている。他方、氷供給レバー７が本体筐体２の後方側に回動した状態では、ソレノイド装置９によって扉が開放され、アイスストッカー２２内のチップ氷が排出口２３から対応する氷片シュータ１１，１２に排出されることになる。
【００２０】
正面向かって右側に位置する氷片シュータ１１には、図３に示すように、チップ氷を切削してスライス氷を生成する切削機１０が設けられている。図６は、切削機１０に氷片シュータ１１が取り付けられた状態を示している。氷片シュータ１１は、両端が開口した中空筒型形状に形成されており、その氷挿入口１１ａが切削機１０のスライス氷の排出口に取り付けられている。氷片シュータ１１は、切削機１０から前方に向けて漸次下方に傾斜する態様で延在しており、上述の通り、氷放出口１１ｂが氷供給部４の上方であって開閉扉３の裏側の近傍に配置されている。図１からも明らかなように、氷片シュータ１１の氷放出口１１ｂは、本体筐体２に対して前方斜め下側に向けて開口している。
【００２１】
他方、氷放出口１２ｂ側の排出口２３の下側には、切削機が設けられずに、氷片シュータ１２が設けられている。この氷片シュータ１２は、上流側部分が上下方向に向けて延在しており、氷挿入口１２ａが排出口２３に取り付けられている。また、氷片シュータ１２の下流側部分は、前方に向けて漸次下方に傾斜する態様で延在しており、氷放出口１２ｂが上述の通り、氷供給部４の上方であって開閉扉３の裏側の近傍に配置されている。図５からも明らかなように、氷片シュータ１２の氷放出口１２ｂは、本体筐体２に対して前方斜め下側に向けて開口している。
【００２２】
図７は氷片シュータ１２の単品の状態の正面図、図８は図７の左側面図、図９は氷片シュータ１２の単品の状態を左斜め下側から見た図である。この氷片シュータ１２は、樹脂成型によって一体的に形成され、両端が開口した角型の中空筒型形状であって、図７に示すように、略「く」の字形状に屈曲して形成されている。氷片シュータ１２の内部には、氷挿入口１２ａから氷放出口１２ｂまで案内孔１４が形成されている。アイスストッカー２２の排出口２３から排出されたチップ氷は、この案内孔１４の内壁面を介して氷放出口１２ｂまで案内され、氷供給部４から供給されるようになっている。
【００２３】
この氷片シュータ１２には、図１０に示すように、飲料注出通路１３ａが一体に形成されている。この飲料注出通路１３ａは、氷片シュータ１２の氷放出口１２ｂを通じて飲料の注出を行うためのもので、案内孔１４の上側内壁面１４ａに飲料注出口１５が開口している。図７に示すように、飲料注出通路１３ａの飲料注入口１３は、氷片シュータ１２の左側面部１２ｃから突出した部分の端面に設けられている。
【００２４】
飲料注出通路１３ａにおいて氷片シュータ１２の左側側面から突出した部分には、本体筐体２側に設けられた図示しない飲料管が接続されるようになっている。この飲料管からは飲料が供給され、この飲料は、飲料注出通路１３ａを通って飲料注出口１５へ供給されるようになっている。
【００２５】
飲料注出口１５は、図１０に示すように、氷片シュータ１２が本体筐体２に組み付けられた状態で、飲料注出口１５から飲料が放出されるとき、垂直に滴下する飲料が氷片シュータ１２の案内孔１４の面に当たらずに、直接に容器２４内に注入されるような位置に配設されている。
【００２６】
図１１および図１２に示すように、氷片シュータ１２には、流量調整器２６が取り付けられている。この流量調整器２６は、図には明示していないが、ニードル弁を用いて流量の調整を行うもので、氷片シュータ１２の上側部１２ｄに形成された流量調整器挿入孔２５に取り付けられている。流量調整器挿入孔２５は、飲料注出通路１３ａの一部と交わるように形成されたものである。従って、つまみ部分２６ａを手動でまわすことによりニードル弁を動作させ、飲料注出通路１３ａの流路面積を調整することができるようになっている。
【００２７】
氷片シュータ１２の氷放出口１２ｂ側の端部の下側面部１２ｅ（図８参照）には、本体筐体２に氷片シュータ１２の下部を固定するための取付用爪部１６が設けられている。この取付用爪部１６は、下側面部１２ｅから後方に向かって２つの爪が突出して形成されている。
【００２８】
図１３は開閉扉３の正面図、図１４は開閉扉３の右側面図である。この開閉扉３には、氷片シュータ１１，１２のそれぞれの正面側を覆うようにパネル１７が設けられている。このパネル１７は、氷片シュータ１１および１２の形状に合わせて開閉扉３の表面よりも前側に少し突出して設けられている。
【００２９】
氷放出口１１ｂ，１２ｂの開口部分と面するパネル１７の部分には、切欠き部１７ａがそれぞれ設けられている。この切欠き部１７ａは、パネル１７の下端部から上方向に向かって略角型形状に切り欠かれており、図１および図５に示すように、開閉扉３が本体筐体２に取り付けられた状態で、アイスディスペンサの利用者から氷放出口１１ｂ，１２ｂが切欠き部１７ａを通して見えるように形成されている。
【００３０】
この切欠き部１７ａの幅方向の長さ１８ａ（図１３参照）は、図１に示すように、氷片シュータ１１，１２の氷放出口１１ｂ，１２ｂの幅方向の長さよりも長くなるように形成されている。また、切欠き部１７ａの垂直方向の長さ１８ｂ（図５および図１４参照）は、図５に示すように、パネル１７の下端部から氷放出口１１ｂ，１２ｂの開口の上端部までの垂直方向の長さ１９よりも長くなるように形成されている。
【００３１】
また、この切欠き部１７ａのそれぞれには、図１４に示すように、切欠き部１７ａの上端部から下端部にかけて、パネル１７の表面部１７ｂからパネル１７の後方斜め下側に向けて傾斜する傾斜部１７ｃが形成されている。
【００３２】
パネル１７の切欠き部１７ａと氷放出口１２ｂの位置関係は、図５に示すように、氷放出口１２ｂがパネル１７の切欠き部１７ａの近傍に配置され、氷放出口１２ｂの開口がパネル１７の前方斜め下側に向くようになっている。なお、図５は、氷片シュータ１２の左側面であって、氷放出口１２ｂの位置が示されているが、氷片シュータ１１の氷放出口１１ｂについても同様な位置関係に配置されている。
【００３３】
次に、本発明に係るアイスディスペンサの作用について説明する。アイスディスペンサの利用者は、スライス氷が欲しい場合、正面右側（図１参照）の氷放出口１１ｂの位置に容器を持っていき、容器を氷供給レバー７の下端部７ｂに押し当てる。同様に、チップ氷またはチップ氷と飲料とが欲しい場合には、正面左側の氷放出口１２ｂの位置に容器を持って行き、容器を氷供給レバー７の下端部７ｂに押し当てる。
【００３４】
ここで、上記アイスディスペンサによれば、氷片シュータ１１，１２のそれぞれが本体筐体２の前面側に向けて漸次下方に傾斜する態様で延在し、パネル１７の切欠き部１７ａを介して氷片シュータ１１，１２の各氷放出口１１ｂ，１２ｂを視認することができるため、これら氷放出口１１ｂ，１２ｂに対して容器２４の開口位置を容易に、かつ正確に位置決めすることができる。
【００３５】
この状態から、容器を介して氷供給レバー７の下端部７ｂをアイスディスペンサ１の後方側へ押して氷供給レバー７を回動させると、アイスストッカー２２内のチップ氷が排出口２３から排出される。
【００３６】
氷放出口１１ｂ側の排出口２３から排出されたチップ氷は、切削機１０でスライスされてスライス氷に加工され、氷片シュータ１１を通って氷放出口１１ｂから容器２４へ供給される。一方、氷放出口１２ｂ側の排出口２３から排出されたチップ氷は、氷片シュータ１２の内部の案内孔１４を通って氷放出口１２ｂから容器２４へ供給される。また、氷放出口１２ｂ側では、チップ氷と飲料との混合を選択スイッチによって選択した場合、チップ氷と共に飲料注出口１５から飲料が供給される。
【００３７】
この飲料の注出量は、流量調整器２６により一定に保たれており、チップ氷との供給比率も常に一定になる。また、この比率を変更したい場合には、流量調整器２６のつまみ部分１６ａを手動で回転させて、適当な比率にセットすれば良い。
【００３８】
チップ氷等の供給が行われている間においても利用者は、チップ氷等が氷放出口１１ｂ，１２ｂから供給されている状況をパネル１７の切欠き部１７ａを通して目視で確認することが可能である。従って、適宜なタイミングで容器を氷供給レバー７から離せば、所望とする量の氷を得ることができる。
【００３９】
このように、本発明の実施の形態に係るアイスディスペンサでは、氷片シュータ１１，１２のそれぞれが本体筐体２の前面側に向けて漸次下方に傾斜する態様で延在し、パネル１７の切欠き部１７ａを介して氷片シュータ１１，１２の各氷放出口１１ｂ，１２ｂを視認することができるため、利用者が容器２４のセット位置を正確に把握することができる。また、利用者が氷の供給状態を目視で確認することにより、容器２４内に供給された氷の量を的確に把握することができる。
【００４０】
また、パネル１７の表面部１７ｂには、切欠き部１７ａの上端部から下端部にかけて、パネル１７の表面部１７ｂからパネル１７の後側に向けて斜め下側方向に傾斜する傾斜部１７ｃが形成されているので、氷放出口１１ｂ，１２ｂが目視確認し易くなる。さらに、氷放出口１１ｂ，１２ｂがパネル１７の近傍に配置されると共に、氷放出口１１ｂ，１２ｂの開口が本体筐体２に対して前方斜め下側に向けられているので、利用者から氷放出口１１ｂ，１２ｂが見え易い。
【００４１】
他方、氷片シュータ１２に飲料注出通路１３ａが一体的に設けられているので、清掃する際には、氷片シュータ１２を取り外し、氷片シュータ１２と飲料注出通路１３ａとを一緒に清掃することができる。これにより、アイスディスペンサ１のメンテナンス性を向上させることができる。
【００４２】
また、氷片シュータ１２の案内孔１４の内壁面１４ａに飲料注出口１５が設けられ、飲料が飲料注入口１３から飲料注出通路１３ａを介して飲料注出口１５で注出されるようになっているので、氷片シュータ１２の氷放出口１２ｂを何等制限することなく当該氷片シュータ１２の氷放出口１２ｂから氷および飲料の供給を行うことが可能となる。これにより、氷片シュータ１２における氷放出口１２ｂの開口面積を可及的に広くすることができ、途中で氷が滞る事態を招来するおそれがなくなる。
【００４３】
さらに、この飲料注出口１５から注出される飲料は、案内孔１４の面に当たらないので、案内孔１４を飲料で汚すことがない。これにより、氷片シュータ１２の清掃の手間を少なくして、メンテナンス性を向上させることができる。
【００４４】
さらにまた、飲料管には流量調整器２６が設けられているので、アイスディスペンサ１の設置環境や設置する地域等の違いによって生じる水道圧等の影響を受けずに、常に、氷と飲料の供給比率を一定に保つことができる。特に、飲料が複数の液を混合して作られるジュース類である場合には、混合比が一定となり、味がバラ付く事態を防止することができる。
【００４５】
なお、本発明の実施の形態は、上述の構成に限定されるものではなく、本発明の技術思想に基づいて各種の変形および変更が可能である。例えば、パネル１７には切欠き部１７ａは開孔であってもよく、この開孔から氷放出口１１ｂ，１２ｂが表出するようにすることもできる。
【００４６】
また、図５において、氷放出口１１ｂ，１２ｂはパネル１７の表面部１７ｃより本体筐体２の内部側に配置しているが、氷放出口１１ｂ，１２ｂを表面部１７ｃよりも外方に突出するように配設していてもよい。さらに、図５〜図１２において、氷放出口１１ｂ，１２ｂを氷シュータ１１，１２の延在方向に対して直角な面に構成しているが、利用者から放出口が視認し易いように直角な面以外の面上に氷放出口１１ｂ，１２ｂを構成してもよい。
【００４７】
さらに、流量調整器２６は、自動で流量を調整できるものを取り付けることもできる。例えば、ばね力で水圧を自動的に調整するフローレギュレータなどを使用することができる。
【産業上の利用可能性】
【００４８】
以上のように、本発明に係るアイスディスペンサは、飲食店の厨房内またはフリードリンクコーナー等に設置し、適宜氷を供給するサービス等に有用である。
【図面の簡単な説明】
【００４９】
【図１】本発明の実施の形態に係るアイスディスペンサの正面図である。
【図２】本発明の実施の形態に係るアイスディスペンサの右側面図である。
【図３】本発明の実施の形態に係るアイスディスペンサであって、図１の状態から開閉扉を除いた状態を示す正面図である。
【図４】本発明の実施の形態に係るアイスディスペンサに使用するオーガ式製氷機の外観図である。
【図５】本発明の実施の形態に係るアイスディスペンサであって、氷供給部の部分を拡大して示す左側断面図である。
【図６】本発明の実施の形態に係るアイスディスペンサであって、図３に示す切削機および氷片シュータを組立てた状態の正面図である。
【図７】本発明の実施の形態に係るアイスディスペンサに使用する氷片シュータの単品の状態の正面図である。
【図８】図７に示す氷片シュータの左側面図である。
【図９】図７に示す氷片シュータを左斜め下側から見た状態の斜視図である。
【図１０】本発明の実施の形態に係るアイスディスペンサに使用する氷片シュータの飲料供給通路を示した概要図である。
【図１１】本発明の実施の形態に係るアイスディスペンサに使用する氷片シュータに流量調整器を取り付けた状態を示す全体斜視図である。
【図１２】本発明の実施の形態に係るアイスディスペンサに使用する氷片シュータに流量調整器を取り付けた状態を示す側面図である。
【図１３】本発明の実施の形態に係るアイスディスペンサに使用される開閉扉の正面図である。
【図１４】本発明の実施の形態に係るアイスディスペンサに使用される開閉扉の右側面図である。
【符号の説明】
【００５０】
１  アイスディスペンサ
２  本体筐体
３  開閉扉
４  氷供給部
７  氷供給レバー
７ａ  回転軸
７ｂ  下端部
８  氷受け部
９  ソレノイド装置
１０  切削機
１１  氷片シュータ
１１ａ  氷挿入口
１１ｂ  氷放出口
１２  氷片シュータ
１２ａ  氷挿入口
１２ｂ  氷放出口
１２ｃ  左側面部
１２ｄ  上側部
１２ｅ  下面部
１３  飲料注入口
１３ａ  飲料注出通路
１４  案内孔
１４ａ  案内孔の上側面
１５  飲料注出口
１６  取付用爪部
１７  パネル
１７ａ  切欠き部
１７ｂ  表面部
１７ｃ  傾斜部
１８ａ  切欠き部の幅方向長さ
１８ｂ  切欠き部の垂直方向長さ
１９  垂直方向長さ
２０  オーガ式製氷機
２１  製氷シリンダ部
２２  アイスストッカー
２３  排出口
２４  容器
２５  流量調整器挿入孔
２６  流量調整器
２６ａ  つまみ部分
【図１】
2006220399.tif 000003
【図２】
2006220399.tif 000004
【図３】
2006220399.tif 000005
【図４】
2006220399.tif 000006
【図５】
2006220399.tif 000007
【図６】
2006220399.tif 000008
【図７】
2006220399.tif 000009
【図８】
2006220399.tif 000010
【図９】
2006220399.tif 000011
【図１０】
2006220399.tif 000012
【図１１】
2006220399.tif 000013
【図１２】
2006220399.tif 000014
【図１３】
2006220399.tif 000015
【図１４】
2006220399.tif 000016